(57)【要約】【課題】パイル間に粒状物からなる充填層を備えた人工芝を表面に敷設した人工芝製運動競技場において、衝撃吸収性を高め、且つ粒状物の飛散を防止する。【解決手段】パイル４間に弾性粒状物５１からなる又は一部が弾性粒状物５１からなる充填層５を形成することにより、衝撃吸収性を高め、又パイル４に幅寸法が１〜７ｍｍであって厚寸法が６０〜１３０μｍであるフイルムヤーン４１を使用し、且つこのフイルムヤーン４１の先端を充填層５の表面より１０〜４０ｍｍ突出させることにより、フイルムヤーン４１が充填層５の表面に倒伏して、比較的比重の小さい弾性粒状物５１の飛散を防止する。【選択図】　　　図１
2004036264.tif 000002
【特許請求の範囲】
【請求項１】
基材と、幅寸法が１〜７ｍｍであって厚寸法が６０〜１３０μｍであるフイルムヤーンから形成され、基材に植設された多数のパイルと、前記パイルの先端を１０〜４０ｍｍ突出させてパイル間に充填されて形成された弾性粒状物からなる又は一部が弾性粒状物からなる充填層とを備えた人工芝が、表面に敷設されたことを特徴とする人工芝製運動競技場。
【請求項２】
前記人工芝の充填層は、弾性粒状物と硬質粒状物とからなることを特徴とする請求項１に記載の人工芝製運動競技場。
【請求項３】
フイルムヤーンから形成されたパイルは、基材表面より先端までの長さが４０〜８０ｍｍとなるように基材に植設されていることを特徴とする請求項１又は２に記載の人工芝製運動競技場。
【請求項４】
前記人工芝は、フイルムヤーンから形成されたパイルと共にモノフイラメントヤーンから形成された多数のパイルが基材に植設され、該モノフイラメントヤーンは幅寸法が０．５〜２ｍｍであって厚みが５０〜１５０μｍであり、且つ前記パイルの先端が充填層より突出していることを特徴とする請求項１〜３のいずれか１項に記載の人工芝製運動競技場。
【請求項５】
フイルムヤーンの先端が、モノフイラメントヤーンの先端より２〜５ｍｍ長く充填層の表面より突出していることを特徴とする請求項４に記載の人工芝製運動競技場。
【発明の詳細な説明】
【０００１】
【発明の属する技術分野】
本発明は、野球、サッカー、ホッケー等の運動競技場として最適な、人工芝が表面に敷設された人工芝製運動競技場に関するものである。
【０００２】
【従来の技術】
野球、サッカー、ホッケー等の運動競技場として、人工芝をその表面に敷設した人工芝製運動競技場がある。かかる人工芝は、基材に天然の芝葉に似せた多数のパイルを植設したものであるが、特に運動競技場に敷設される人工芝としては、プレーヤーに対する衝撃を緩和して転倒時等の怪我を少なくするように、パイル間に粒状物を充填し、この粒状物によって衝撃を吸収するようにしたものが多く採用されている。
【０００３】
【発明が解決しようとする課題】
かかる粒状物を充填した人工芝として、従来、粒状物として砂等の硬質粒状物を充填したもの、ゴムチップ等の弾性粒状物を充填したもの、前記の如き硬質粒状物と弾性粒状物とを充填したものがある。ところが、砂等の硬質粒状物を充填したものは、これら砂等の硬質粒状物は比較的比重が大きいため、プレー時のボールの転がりやスライディングによる当該粒状物の飛散が少ないものの、砂等の硬質粒状物は踏まれたり降雨等により沈下して固まりやすいため、長期間使用すると、初期に有していた衝撃吸収性が徐々に低下すると言った問題があった。
【０００４】
又ゴムチップ等の弾性粒状物を充填したものや弾性粒状物と前記の如き硬質粒状物とを充填したものは、ゴムチップ等の弾性粒状物の有する弾力によって衝撃吸収性が高まり、又この弾力に加えて比較的比重も小さいことから、長期間の使用によっても弾性粒状物は沈下して固まることがないので、衝撃吸収性の低下はほとんど起こらないものの、弾性粒状物は飛散しやすく、ボールの落下箇所が凹んで平坦性が損なわれると言った問題があった。
【０００５】
さらに、最近では、衝撃吸収性をさらに高めると共に、自然の土壌に天然の芝が植生されたような感触を具備させるようにした人工芝も提案されている。この人工芝は、基材表面から先端までの長さを４０ｍｍ以上とした比較的長いパイルを植設することにより、充填する粒状物の層を厚くしたものであるが、かように充填する粒状物の層を厚くすればする程、自然の土壌の如き衝撃吸収性を得ることができるものの、前記の如き問題が顕著に発生し、砂等の硬質粒状物を充填したものは、層を厚くした分だけ、沈下して固まることによる衝撃吸収性の低下が、又比較的比重の小さいゴムチップ等の弾性粒状物を充填したものは飛散が、それぞれ顕著に現れている。
【０００６】
そこで本発明は、パイル間に粒状物からなる充填層を備えた人工芝を表面に敷設した人工芝製運動競技場において、上記の如き問題点を解決し、衝撃吸収性に優れ、且つ粒状物の飛散を防止した人工芝製運動競技場を提供せんとするものである。
【０００７】
【課題を解決するための手段】
上記目的を達成するために、本発明は次のような構成としている。
すなわち本発明に係る人工芝製運動競技場は、基材と、幅寸法が１〜７ｍｍであって厚寸法が６０〜１３０μｍであるフイルムヤーンから形成され、基材に植設された多数のパイルと、前記パイルの先端を１０〜４０ｍｍ突出させてパイル間に充填されて形成された弾性粒状物からなる又は一部が弾性粒状物からなる充填層とを備えた人工芝が、表面に敷設されたことを特徴とするものである。
【０００８】
本発明によれば、パイル間に形成された充填層が、弾性粒状物からなり又は一部が弾性粒状物からなるので、弾性粒状物の有する弾力によって衝撃吸収性が高まり、又この弾力に加えて弾性粒状物は比較的比重も小さいことから、長期間の使用によっても弾性粒状物は沈下して固まることがなく、衝撃吸収性の低下はほとんど起こらない。
【０００９】
又、パイルを形成するフイルムヤーンは、幅寸法が１〜７ｍｍであって比較的に広幅であるので、この広幅面が抵抗となって、充填層を形成する弾性粒状物等の動きが抑えられることから、充填層の飛散が防止される。又フイルムヤーンは元々倒伏しやすいものであるが、さらに倒伏しやすいように厚寸法を６０〜１３０μｍとした比較的薄いフイルムヤーンを用い、且つそのフイルムヤーンの先端を充填層より１０〜４０ｍｍ突出させているので、競技のボール等がフイルムヤーン上に落下すると、前記広幅面が充填層の表面に覆いかぶさるように容易に倒伏することから、これによっても飛散は効果的に防止される。
【００１０】
前記フイルムヤーンは、多数のスプットを形成したスプリットヤーンとスプリットを形成していないスリットヤーンとがあり、本発明においてはどちらを使用してもよいが、スプリットヤーンは、弾性粒状物等を充填する際に、これがスプリットに引っ掛かって充填しにくく、又充填層の表面の平坦性を出しにくいのみならず、スプリットヤーンを本発明において使用する場合は、スプリットを横に裂いて前記の如き１〜７ｍｍの幅寸法にする必要があるが、この横裂き作業は非常に面倒であり且つ正確に１〜７ｍｍの幅寸法に揃えるのは熟練を要し、又この横裂き作業において前記の幅寸法よりも細い髭のようなものが発生した場合に、これが紫外線等で劣化して外観的に見苦しいものになる等の問題があることから、スプリットを形成することによる前記の如き問題の無い、スプリットを形成せずに最初から前記の如き幅寸法にスリットしたスリットヤーンを用いるのが好ましい。
【００１１】
前記フイルムヤーンの幅寸法を１〜７ｍｍとした理由は、１ｍｍ未満では、細すぎて粒状物の動きを抑えにくく、７ｍｍを超えると、天然の芝の幅寸法が概略１ｍｍ〜３ｍｍ程度であることから、見た目において天然の芝と異なる感じを与えるものになり、又滑りやすくなって怪我をしやすくなるためであり、好適には天然の芝の近似した２〜４ｍｍの幅寸法のものである。
【００１２】
また前記フイルムヤーンの厚寸法は６０〜１３０μｍとしているが、６０μｍ未満では倒伏性に優れるものの、薄過ぎるために紫外線による劣化が起こりやすく、１３０μｍを超える厚寸法では倒伏しにくくなる。さらに本発明においてはフイルムヤーンの先端を充填層より１０〜４０ｍｍ突出させているが、１０〜４０ｍｍとした理由は、１０ｍｍ未満では倒伏した際に充填層の表面に覆いかぶさる面積が僅かとなって、飛散を効果的に防止することができず、４０ｍｍを超えると、プレーヤーのスパイク等で繰返踏まれるとフイルムヤーンの先端が細かく裂けて飛散防止効果が低下する恐れがあるためである。
【００１３】
前記の突出長さは、フイルムヤーンを植設するピッチ（間隔）を考慮して決定するのが好ましい。すなわち、相隣り合って植設されたフイルムヤーンが共に倒伏した状態で、一の束のフイルムヤーンとその隣に植設された他の束のフイルムヤーンとの先端間に隙間を生じることのないように多少重合する長さにしておけば、この相互のフイルムヤーンで充填層の表面を隙間無く覆うことになるので、飛散が効果的に防止される。
【００１４】
本発明において、充填層は、弾性粒状物のみから形成されていてもよいし、その一部が弾性粒状物から形成されていてもよいが、弾性粒状物のみから形成した場合は、使用する弾性粒状物にもよるが、衝撃を吸収し過ぎて不都合が生じることがあるので、弾性粒状物と硬質粒状物とで充填層を形成し、衝撃吸収力を弾性充填材と硬質粒状物との混合比でコントロールするのが好ましい。
【００１５】
充填層を弾性粒状物と硬質粒状物とで形成する場合は、弾性粒状物と硬質粒状物とを混合したものを充填してもよいし、それら弾性粒状物と硬質粒状物とを別個に充填し、その後ブラッシングにより混合してもよく、又弾性粒状物と硬質粒状物とが層別に充填されていてもよく、また弾性粒状物又は硬質粒状物からなる層と、弾性粒状物と硬質粒状物との混合層とからなるものであってもよく、例えば、充填層の表面を弾性粒状物による弾性充填層で構成し、その下部を弾性粒状物と硬質粒状物との混合層で構成してもよい。
【００１６】
本発明によれば、充填層の飛散が効果的に抑制されるので、衝撃吸収性をさらに高めると共に、自然の土壌に天然の芝が植生されたような感触を具備させるように、フイルムヤーンから形成されたパイルは、基材表面より先端までの長さが４０〜８０ｍｍとなるように、比較的長いパイルを基材に植設し、充填層の厚さを厚くすることができる。
【００１７】
又本発明において、フイルムヤーンから形成されたパイルと共に幅寸法が０．５〜２ｍｍであって厚みが５０〜１５０μｍであるモノフイラメントヤーンから形成された多数のパイルを、このパイルの先端が充填層より突出するようにして基材に植設しておけば、モノフイラメントヤーンは耐倒伏性を有しているため、フイルムヤーンと相まって天然の芝に近い外観を呈するようになると共に、ボールの適度な転がりや着地感、サッカー競技におけるキックのし易さ等が発現されるので好ましい。
【００１８】
フイルムヤーンと共にモノフイラメントヤーンを用いる場合、フイルムヤーンとモノフイラメントヤーンとを同じ長さとし、且つ同じ長さで充填層の表面より突出させるようにしてもよいが、フイルムヤーンの長さをモノフイラメントヤーンの長さより長くするか又は同じ長さであっても植設する際に、植設した状態で、フイルムヤーンの先端が、モノフイラメントヤーンの先端より２〜５ｍｍ程度突出するようにしておけば、プレー時のボール等が先ずフイルムヤーンに当たるため、フイルムヤーンをより倒伏しやすくすることができる。又フイルムヤーンによる飛散防止を効果的に発現させるために、フイルムヤーンの幅寸法はモノフイラメントヤーンの幅寸法より広幅にするのが好ましい。
【００１９】
【発明の実施の形態】
以下に本発明の実施の一形態につき図面に基づき具体的に説明する。
図１は本発明による人工芝製運動競技場の実施の一形態を示す断面図、図２はそれに用いられたフイルムヤーンの斜視図、図３はモノフイラメントヤーンの斜視図である。
【００２０】
図面において、１は運動競技場の基層であって、２は前記基層１の表面に直接又は適宜クッション材等の下地材１１を介して敷設された人工芝であり、人工芝２は、下部に設けられて前記基層１又は下地材１１上に敷設される基材３と、その基材３に植設された多数のパイル４と、前記パイル４間に充填されて形成された充填層５から構成されている。
【００２１】
基層１は、地面そのものであってもよいが、一般的には地面上に透水性又は否透水性のアスファルトコンクリートを打設して形成されるが、本形態においては透水性を具備させると共に施工の簡易な砕石等を載置して形成され、その上に平坦性を出すと共に透水性を有し且つ人工芝２を敷設しやすくするための不織布からなる下地材１１で覆い、その上に人工芝２を敷設している。
【００２２】
基材３は、織物、編物、不織布等、前記パイル４が植設されるものであれば、何でもよく、特に限定されるものではなく、一例としてポリプロピレン製の平織りの織布等がある。
【００２３】
パイル４は、フイルムヤーン４１とモノフイラメントヤーン４２とが複数本束ねられた状態で前記基材３に植設されたものであって、この形態では、フイルムヤーン４１とモノフイラメントヤーン４２とが同数本、すなわちフイルムヤーンが４本、モノフイラメントヤーン４２が４本、それらが共に束ねられ、それらを１単位として適宜間隔をおいて基材３全面に植設されている。植設する間隔は、基材３表面より先端までの長さＬが４０〜８０ｍｍである比較的長いフイルムヤーン４１を植設する場合は、充填層５を充填しやすいように、一般的には８〜５０ｍｍ程度の比較的広いピッチＰで植設されるが、好適には、適度なパイル４の面密度となって見栄えがよく且つ充填しやすい、１０〜４０ｍｍ程度の間隔である。
【００２４】
前記フイルムヤーン４１は、幅寸法Ｗ１が充填層５の飛散を効果的に抑える１〜７ｍｍ、厚寸法Ｔ１が倒伏しやすい６０〜１３０μｍであって、前記の如き厚みのフイルムを押出成型等により広幅で成型した後、前記の幅寸法にスリットして形成されたスリットヤーンであり、ポリプロピレンやポリエチレン等のオレフイン系合成樹脂やポリアミド、ポリ塩化ビニリデン、ポリエステル等の適宜合成樹脂材料から形成される。
【００２５】
前記フイルムヤーン４１と束にして植設されたモノフイラメントヤーン４２は、幅寸法Ｗ２が０．５〜２ｍｍであって厚寸法Ｔ２が５０〜１５０μｍのものであり、前記フイルムヤーン４１と同様な合成樹脂材料を使用し、１本又は同時に多数本を押出成型して形成されるものである。尚、本形態では、フイルムヤーン４１は倒伏しやすく且つスライディング時の滑り抵抗の少ないポリエチレンや、倒伏しやすく且つ耐熱性の優れたポリプロピレン、又はそれらの混合物等からなるオレフイン系合成樹脂が用いられ、モノフイラメントヤーン４２は耐倒伏性に優れ且つ踏み倒されても直立に容易に弾性回復するポリアミドが用いられている。
【００２６】
そして前記フイルムヤーン４１は、基材３表面より先端までの長さＬを４０〜８０ｍｍとなるように、又モノフイラメントヤーン４２はそれより２〜５ｍｍ短くなるように、共に束にして基材３に植設され、一般に長さが３５ｍｍ以下である従来のパイルに比べて比較的長いパイル４を構成している。
【００２７】
かようにして植設されたフイルムヤーン４１とモノフイラメントヤーン４２とから構成されたパイル４間に充填層５が形成され、そしてこの形成された充填層５の表面から前記パイル４の先端を突出させると共に、フイルムヤーン４１の先端の突出長さＬ１を１０〜４０ｍｍとし、且つフイルムヤーン４１の先端よりモノフイラメントヤーン４２の先端が２〜５ｍｍ程度低く突出するようにしている。充填層５は、弾性粒状物５１と硬質粒状物５２とを混合したものから構成され、前記弾性粒状物５１と硬質粒状物５２との混合割合は、適度な衝撃吸収性を具備させるために、容積比において、弾性粒状物５１／硬質粒状物５２＝５０／５０〜７０／３０の範囲にするのが好ましい。
【００２８】
前記弾性粒状物５１としては天然又は合成ゴムチップ、発泡又は無発泡の合成樹脂粒状物、コルクチップ、タイヤの粉砕物等、硬質粒状物５２としては川砂や山砂等の砂、珪砂、炭酸カルシウム、ガラス等の無機粒状物や人工の砂土等、が適宜使用するすることができる。
【００２９】
尚、上記形態では、フイルムヤーン４１とモノフイラメントヤーン４２とが共に束ねられ、それを１単位として植設されているが、本発明においては、フイルムヤーン４１とモノフイラメントヤーン４２とを別々に束ね、それらを交互又はランダムに植設するようにしてもよく、又フイルムヤーン４１のみを植設するようにしてもよい。
【００３０】
【発明の効果】
本発明によれば、パイル間に形成された充填層が、弾性粒状物からなり又は一部が弾性粒状物からなるので、衝撃吸収性が高まり、又衝撃吸収性の低下はほとんど起こらない。
【００３１】
又、パイルを形成するフイルムヤーンは、幅寸法が１〜７ｍｍであって比較的に広幅であるので、充填層の飛散が防止される。又そのフイルムヤーンの先端を充填層より１０〜４０ｍｍ突出させているので、ボール等がフイルムヤーン上に落下すると、前記広幅面が充填層の表面に覆いかぶさるように容易に倒伏することから、これによっても飛散は効果的に防止される。
【図面の簡単な説明】
【図１】本発明による人工芝製運動競技場の実施の一形態を示す断面図である。
【図２】本発明に用いられるフイルムヤーンの斜視図である。
【図３】本発明に用いられるモノフイラメントヤーンの斜視図である。
【符号の説明】
１　　基層
２　　人工芝
３　　基材
４　　パイル
４１　フイルムヤーン
４２　モノフイラメントヤーン
５　　充填層
５１　弾性粒状物
５２　硬質粒状物
【図１】
2004036264.tif 000003
【図２】
2004036264.tif 000004
【図３】
2004036264.tif 000005